(57)【要約】【課題】１つのパブリックアドレスを用いて、ＮＡＴルータの外側となるパブリックネットワーク上の端末にて登録またはログインできるようにした通信システムの通信装置を提供する。【解決手段】実施形態によれば、通信装置は、プライベートネットワークに接続され、かつプライベートネットワークに比して広域のパブリックネットワークに対しＮＡＴ（Network Address Translator）ルータを介して接続可能で、ＶＯＩＰ(Voice Over Internet Protocol)プロトコルの登録手順により収容された電話端末にＩＰ電話サービスを提供する通信装置を対象にし、代理サーバ部を備える。代理サーバ部は、パブリックネットワークに接続された電話端末に対しプライベートネットワークをバイパスして接続可能で、電話端末から当該電話端末の端末ＩＤを含む登録要求を受信する。【選択図】      図１
2011182470.tif 000002
【特許請求の範囲】
【請求項１】
プライベートネットワークに接続され、かつ前記プライベートネットワークに比して広域のパブリックネットワークに対しＮＡＴ（Network Address Translator）ルータを介して接続可能で、既知のＶＯＩＰ(Voice Over Internet Protocol)プロトコルの登録手順により収容された電話端末にＩＰ電話サービスを提供する通信装置において、
前記プライベートネットワークをバイパスして接続可能で、前記パブリックネットワークに接続された前記電話端末から当該電話端末の端末ＩＤを含む登録要求を受信する代理サーバ部と、
前記代理サーバ部によりバイパスされた登録要求に基づいて登録処理を行い、要求元の電話端末に対して前記ＮＡＴルータを介して端末制御用のセッションを生成する制御手段とを具備し、プライベートネットワーク側からパブリックネットワークに接続された電話端末を収容可能にしたことを特徴とする通信装置。
【請求項２】
前記プライベートネットワークに接続する複数のインタフェース部をさらに備え、
前記制御手段は、前記登録要求に基づいて、要求元の電話端末を収容するインタフェース部を選択し、このインタフェース部に対し要求元の電話端末への前記セッションの生成を指示することを特徴とする請求項１記載の通信装置。
【請求項３】
前記制御手段は、前記登録要求に加え、前記複数のインタフェース部それぞれのリソース状態、または予め決められた条件に基づいて、要求元の電話端末を収容するインタフェース部を選択することを特徴とする請求項２記載の通信装置。
【請求項４】
パブリックネットワークに接続される電話端末と、この電話端末に対しＮＡＴ（Network Address Translator）ルータ及び前記パブリックネットワークに比して狭域のプライベートネットワークを介して接続可能で、ＶＯＩＰ(Voice Over Internet Protocol)プロトコルの登録手順により収容された電話端末にＩＰ電話サービスを提供する通信装置とを備えた通信システムで用いられる端末登録方法において、
前記電話端末からの端末ＩＤを含む登録要求を、前記プライベートネットワークをバイパスして接続可能な代理サーバ部へ送信し、
前記代理サーバ部において、前記登録要求を前記通信装置に送信し、
前記通信装置において、前記登録要求に基づいて要求元の電話端末に対する登録処理を行い、要求元の電話端末に対し前記ＮＡＴルータを介して端末制御用のセッションを生成するようにしたことを特徴とする通信システムで用いられる端末登録方法。
【請求項５】
プライベートネットワークに接続され、かつ前記プライベートネットワークに比して広域のパブリックネットワークに対しＮＡＴ（Network Address Translator）ルータを介して接続可能で、ＶＯＩＰ(Voice Over Internet Protocol)プロトコルの登録手順により収容された電話端末にＩＰ電話サービスを提供する通信装置において、
前記パブリックネットワークに接続された電話端末に対し前記プライベートネットワークをバイパスして接続可能で、前記電話端末から当該電話端末の端末ＩＤを含む登録要求を受信する代理サーバ部を備え、プライベートネットワーク側からパブリックネットワークに接続された電話端末を収容可能にしたことを特徴とする通信装置。
【発明の詳細な説明】
【技術分野】
【０００１】
本発明の実施形態は、例えばＩＰ(Internet Protocol)電話機をＩＰ網、公衆網等のパブリックネットワーク経由でＶＯＩＰ(Voice Over Internet Protocol)プロトコルの登録手順により登録可能な通信システムで用いられる通信装置、及び通信システムで用いられる端末登録方法に関する。
【背景技術】
【０００２】
近年、ＩＰ網を介して、双方向に画像や音声をパケットデータとして、リアルタイムに送受信するＩＰ電話システムが普及し始めている。このＩＰ電話システムでは、ＩＰ網に接続される各交換機ごとに内線間通信や外線発着信を行えることは勿論のこと、ＩＰ網を経由した交換機間での内線通信や外線発着信を行うことができる。
【０００３】
特に、複数の支店や営業所を有する企業内において、上記各支店または営業所にそれぞれ交換機を設置してこれら交換機間をＩＰ網を介して接続している。
【０００４】
一般の企業網では、外部に公開するサーバやルータ、ファイアウォール装置のアドレスのみパブリックアドレスを割当て、その他についてはＮＡＴ（Network Address Translator）装置を介して、プライベートネットワークとしてのＬＡＮ(Local Area Network)を構成している。このようなネットワークに、複数のネットワークインタフェースを持ち、負荷分散のためにＩＰ端末を各インタフェースに分散して収容させるようにしたＩＰ電話システムを接続し、社外ネットワークのどこからでもＩＰ電話端末を接続するようなシステムを構築する際に、電話サーバ毎にパブリックアドレスを割当てる必要がある。
【０００５】
なお、パブリックネットワーク側から受信したパケットからＳＩＰのメソッドを抜き出し、メソッドが登録要求（register）である場合、ＩＰアドレスとしてＳＩＰパケットの要求元ＩＰアドレスをアドレス変換テーブルへ登録するアドレス変換装置を用いる手法も考えられている（例えば、特許文献１）。
【先行技術文献】
【特許文献】
【０００６】
【特許文献１】特開２００６−２１１６０１号公報
【発明の概要】
【発明が解決しようとする課題】
【０００７】
ところで、従来では、さらに、設備投資の軽減を図り、簡単な処理手順により、社外ネットワークのどこからでもＩＰ電話端末を接続するようなシステムが強く望まれている。
【０００８】
そこで、本発明の目的は、１つのパブリックアドレスを用いて、ＮＡＴルータの外側となるパブリックネットワーク上の端末にて登録またはログインできるようにした通信システムの通信装置、及び通信システムで用いられる端末登録方法を提供することにある。
【課題を解決するための手段】
【０００９】
実施形態によれば、通信装置は、プライベートネットワークに接続され、かつプライベートネットワークに比して広域のパブリックネットワークに対しＮＡＴ（Network Address Translator）ルータを介して接続可能で、ＶＯＩＰ(Voice Over Internet Protocol)プロトコルの登録手順により収容された電話端末にＩＰ電話サービスを提供する通信装置を対象にし、代理サーバ部を備える。代理サーバ部は、パブリックネットワークに接続された電話端末に対しプライベートネットワークをバイパスして接続可能で、電話端末から当該電話端末の端末ＩＤを含む登録要求を受信する。これにより、通信装置は、プライベートネットワーク側からパブリックネットワークに接続された電話端末を収容可能にした。
【図面の簡単な説明】
【００１０】
【図１】第１の実施形態に係わる通信システムを示すブロック図。
【図２】上記図１に示したデータベースの記憶内容の一例を示す図。
【図３】同第１の実施形態において、ＩＰ電話端末と主装置との間で登録用の制御セッションを確立する動作を示すシーケンス図。
【図４】第２の実施形態としての通信システムの概略構成図。
【発明を実施するための形態】
【００１１】
以下、実施の形態について、図面を参照して説明する。
【００１２】
（第１の実施形態）  
図１は、この発明の第１の実施形態に係わる通信システムの構成を示すブロック図であり、１は主装置を示し、２はＩＰ電話端末を示している。
【００１３】
主装置１は、インタフェース部としての複数のＩＰ電話サーバ部１１−１〜１１−ｎ（ｎは自然数）と、一般回線制御部１２と、デジタル電話制御部１３と、中央制御部１４と、データベース１５とを備え、これらＩＰ電話サーバ部１１−１〜１１−ｎ、一般回線制御部１２、デジタル電話制御部１３、中央制御部１４、データベース１５は制御バス１６を介して相互に接続されている。また、複数のＩＰ電話サーバ部１１−１〜１１−ｎは、ＬＡＮ３を介して相互に接続されている。
【００１４】
また、複数のＩＰ電話サーバ部１１−１〜１１−ｎは、ＬＡＮ３及びＮＡＴルータＲＴを介してＬＡＮ３よりも広域に配置されるインターネット等のパブリックネットワークＩＮＷに接続され、このパブリックネットワークＩＮＷからさらにＩＰ電話端末２に接続される。
【００１５】
さらに、複数のＩＰ電話サーバ部１１−１〜１１−ｎは、データベース１５に登録されているＬＡＮ３上のＩＰ電話端末を収容し、ＩＰ電話端末に対する発着信処理等のＩＰ電話サービスを提供する。
【００１６】
一般回線制御部１２は、例えばアナログ公衆網（図示せず）に接続され、アナログ公衆網との間の呼の確立処理等を行う。
【００１７】
デジタル電話制御部１３には、複数のデジタル内線端末（図示せず）が収容されている。デジタル内線端末として使用されるものには、例えばデジタルボタン電話機がある。デジタル電話制御部１３は、デジタル内線端末に対する発着信処理やデジタル信号の転送処理等を行なう。
【００１８】
中央制御部１４は、各デジタル内線端末の発呼要求に伴う発信処理や、アナログ公衆網からの外線着信に伴う通常の着信処理、デジタル内線端末間の転送処理等の通常の呼処理制御部１４１に加え、タイムスイッチ制御部１４２と、制御通信部１４３と、リソース管理部１４４と、機器設定管理部１４５とを備えている。
【００１９】
タイムスイッチ制御部１４２は、上記複数のＩＰ電話サーバ部１１−１〜１１−ｎと一般回線制御部１２とデジタル電話制御部１３との間で交換接続を行なう。
【００２０】
制御通信部１４３は、上記複数のＩＰ電話サーバ部１１−１〜１１−ｎと一般回線制御部１２とデジタル電話制御部１３との間の通信処理を実行する。
【００２１】
リソース管理部１４４は、上記複数のＩＰ電話サーバ部１１−１〜１１−ｎのリソース状態を管理する。
【００２２】
ところで、この第１の実施形態では、主装置１に、パブリックネットワークＩＮＷに対しＮＡＴルータＲＴ及びＬＡＮ３をバイパスして接続可能な代理サーバ部１７を設けている。この代理サーバ部１７は、制御バス１６に接続され、例えばＩＰ電話端末２からの登録要求を受信し、この登録要求を中央制御部１４に通知する。この通知に対し中央制御部１４は、リソース管理部１４４により管理されるＩＰ電話サーバ部１１−１〜１１−ｎのリソース状態または機器設定管理部１４５に設定される設定条件に応じて、例えばＩＰ電話サーバ部１１−１を決定し、このＩＰ電話サーバ部１１−１に対し制御セッション開始指示を送出する。
【００２３】
これに対しＩＰ電話サーバ部１１−１は、ＩＰ電話端末２との間に端末制御用の制御セッションを確立するためのＬＡＮ通信部１１１と、中央制御部１４との間で通信を行なう制御通信部１１２と、登録制御部１１３とを備えている。
【００２４】
登録制御部１１３は、図２に示すように、要求元となるＩＰ電話端末２のＩＰアドレス、ＤＮ、ログイン状態をＩＰ電話サーバ部１１−１のＬＡＮインタフェース番号に対応付けて登録する。
【００２５】
上記ＩＰ電話端末２は、登録時にサーバ側からのパケットを受けることができるように待ち受けポートを開いておくようにした以外は、通常のＩＰ電話機と同等である。
【００２６】
次に、以上のように構成されたシステムの動作について説明する。  
図３は、主装置１とＩＰ電話端末２との間でＶＯＩＰ(Voice Over Internet Protocol)プロトコルの登録手順を用いて制御セッションを確立する動作を示すシーケンス図である。
【００２７】
データベース１５に対しＩＰ電話端末２の登録を行う際に、ＩＰ電話端末２のユーザは代理サーバ部１７のパブリックアドレスを用いて発信操作を行なう。すると、ＩＰ電話端末２は、代理サーバ部１７宛ての登録要求を生成してこの要求をパブリックネットワークＩＮＷへ送信する（図３（１））。
【００２８】
パブリックネットワークＩＮＷは、上記登録要求を受信すると、着信先の代理サーバ部１７を呼び出す。そして、この呼び出しに対し代理サーバ部１７が着信応答すると、ＩＰ電話端末２と代理サーバ部１７との間に通信リンクが形成される。
【００２９】
代理サーバ部１７は、主装置１の中央制御部１４に各ＩＰ電話サーバ部１１−１〜１１−ｎの収容状況を問い合わせる。この際に端末側の情報(ＵＲＩ／ＤＮ／アドレス／ポートなど)の情報を通知する（図３（２））。
【００３０】
中央制御部１４は、各ＩＰ電話サーバ部１１−１〜１１−ｎのリソースの空き情報、もしくは設定内容にしたがって、要求のあったＩＰ電話端末２の収容先を決定し、代理サーバ部１７に登録結果を返送する（図３（３））。
【００３１】
代理サーバ部１７は、要求元のＩＰ電話端末２に結果を通知するとともに、中央制御部１４にＡＣＫを返す（図３（４）、（５））。
【００３２】
中央制御部１４は、ＡＣＫを受け取ったら、該当のＩＰ電話サーバ部１１−１に制御セッションの生成を指示する（図３（６））。
【００３３】
指示を受けたＩＰ電話サーバ部１１−１は、ＩＰ電話端末２に対して呼制御用のセッションを生成する（図３（７））。
【００３４】
以後、ＩＰ電話端末２とＩＰ電話サーバ部１１−１との間では、生成されたセッションに対して通常の登録処理が実行され、しかる後にデータベース１５にＩＰ電話端末２の情報が登録される（図３（８）、（９））。
【００３５】
上記のように、ＮＡＴルータＲＴ内部に接続された主装置１にＮＡＴルータＲＴ外部から登録またはログインが可能になる。なお、上記図３（６）の時点でＩＰ電話制御を開始するケースも考えられる。
【００３６】
以上のように上記第１の実施形態では、主装置１に、パブリックネットワークＩＮＷに対しＮＡＴルータＲＴ及びＬＡＮ３をバイパスして接続可能な代理サーバ部１７を備え、パブリックネットワークＩＮＷ上のＩＰ電話端末２にて代理サーバ部１７に割り当てられるパブリックアドレスを用いてデータベース１５への登録要求を送信し、登録要求を代理サーバ部１７にて受信して、中央制御部１４に通知する。そして、中央制御部１４にて複数のＩＰ電話サーバ部１１−１〜１１−ｎそれぞれのリソース状態、または設定条件に応じて最適なＩＰ電話サーバ部１１−１を決定し、このＩＰ電話サーバ部１１−１から要求元のＩＰ電話端末２へＬＡＮ３、ＮＡＴルータＲＴ及びパブリックネットワークＩＮＷを介して制御用セッションを確立するようにしている。
【００３７】
従って、パブリックネットワークＩＮＷ側のＩＰ電話端末２では、１つのパブリックアドレスを用いて、主装置１のデータベース１５に端末情報を登録することができる。また、各ＩＰ電話サーバ部１１−１〜１１−ｎそれぞれにパブリックアドレスを割り当てる必要がなく、これによりパブリックアドレスが必要なインタフェースが１つで済む。
【００３８】
（第２の実施形態）  
図４は、この発明の第２の実施形態としての通信システムの概略構成図である。図４において、上記図１と同一部分には同一符号を付して詳細な説明を省略する。
【００３９】
この第２の実施形態では、ＬＡＮ３上で、主装置１と代理サーバ部１７とを分散させた構成としている。さらに、上記ＬＡＮ３には、アプリケーションサーバＡＳＶが接続される。
【００４０】
主装置１は、ＬＡＮ３上のアプリケーションサーバＡＳＶ、代理サーバ部１７及び他の通信機器間の通信処理等の通常の制御機能を備えている。
【００４１】
以上のように上記第２の実施形態であっても、上記第１の実施形態と同様の作用効果が得られる。また、主装置１と代理サーバ部１７とがＬＡＮ３上で別々に接続されているので、代理サーバ部１７のメンテナンス等において、主装置１本体の改修等を行わずに済む。
【００４２】
（その他の実施形態）  
この発明は、上記各実施形態に限定されるものではなく、通信システムの構成、主装置の機能構成、主装置等の通信装置の種類、登録制御手順とその内容についても、この発明の要旨を逸脱しない範囲で種々変形して実施できる。
【符号の説明】
【００４３】
１…主装置、２…ＩＰ電話端末、３…ＬＡＮ、１１−１〜１１−ｎ…ＩＰ電話サーバ部、１２…一般回線制御部、１３…デジタル電話制御部、１４…中央制御部、１５…データベース、１６…制御バス、１７…代理サーバ部、１１１…ＬＡＮ通信部、１１２…制御通信部、１１３…登録制御部、１４１…呼処理制御部、１４２…タイムスイッチ制御部、１４３…制御通信部、１４４…リソース管理部、１４５…機器設定管理部、ＩＮＷ…パブリックネットワーク、ＲＴ…ＮＡＴルータ。
【図１】
2011182470.tif 000003
【図２】
2011182470.tif 000004
【図３】
2011182470.tif 000005
【図４】
2011182470.tif 000006